(57)【要約】【課題】  本発明の課題は、ハウジングより使用者の手腕に伝播する振動を低減することである。【解決手段】  電動機（１６）と、該電動機（１６）を収容するハウジング（１）と、該ハウジング（１）に隣接するテールカバ（２）と、該テールカバ（２）とは反対側で前記ハウジング（１）と隣接するギヤカバ（４）と、該ギヤカバ（４）内に設けたスピンドル（７）と、該スピンドル（７）に取付けられる先端工具（１３）と、を有する電動工具において、前記テールカバ（２）から前記ハウジング（１）の外周を覆うように延びる延設（２１）部を設け、該延設部（２１）と前記ハウジング（１）の外周との間に径方向の隙間（１７）を設ける。【選択図】図１
2007044811.tif 000002
【特許請求の範囲】
【請求項１】
電動機と、該電動機を収容するハウジングと、該ハウジングに隣接するテールカバと、該テールカバとは反対側で前記ハウジングと隣接するギヤカバと、該ギヤカバ内に設けたスピンドルと、該スピンドルに取付けられる先端工具と、を有する電動工具において、前記テールカバから前記ハウジングの外周を覆うように延びる延設部を設け、該延設部と前記ハウジングの外周との間に径方向の隙間を設けることを特徴とする電動工具。
【請求項２】
前記延設部の表面に板状部材を接着することを特徴とする請求項１記載の電動工具。
【請求項３】
前記隙間に弾性体を設けることを特徴とする請求項１記載の電動工具。
【発明の詳細な説明】
【技術分野】
【０００１】
本発明は、ディスクグラインダ等の円筒形状のハウジング及びテールカバを有する電動工具に関するものであり、特にハウジングとテールカバの構造に関するものである。
【背景技術】
【０００２】
従来の携帯用ディスクグラインダを図3を用いて説明する。
【０００３】
携帯用ディスクグラインダ２０は電動機１６を収納するハウジング1と、スイッチ3を収納するテールカバ2と、減速部を収納するギヤカバ４と、駆動軸であるスピンドル7を固定するパッキングランド5と、により構成されている。ハウジング1およびテールカバ2は隣接し、使用者はギヤカバ4に隣接するハウジング1を直接手で把握する構造となっている。（例えば、特許文献１参照。）
【特許文献１】特開２００３−１３６４３８号公報
【発明の開示】
【発明が解決しようとする課題】
【０００４】
上記した従来の携帯用ディスクグラインダ２０は、使用者が電動機16を支持し、ギヤカバ4に隣接するハウジング1を直接手で把握する構造となっている。そのため、電動機16、ギヤカバ4からの振動がハウジング1を介し直接使用者の手に伝播されやすいという欠点があった。
【０００５】
本発明の目的は、上記の問題を解決し、使用者の手腕に伝播する振動を低減する構造の電動工具を提供することである。
【課題を解決するための手段】
【０００６】
上記目的は、電動機と、該電動機を収容するハウジングと、該ハウジングに隣接するテールカバと、該テールカバとは反対側で前記ハウジングと隣接するギヤカバと、該ギヤカバ内に設けたスピンドルと、該スピンドルに取付けられる先端工具と、を有する電動工具において、前記テールカバから前記ハウジングの外周を覆うように延びる延設部を設け、該延設部と前記ハウジングの外周との間に径方向の隙間を設けることにより達成することができる。
【発明の効果】
【０００７】
請求項１記載の発明によれば、ハウジングに伝播した振動がテールカバに伝播した際、ハウジングと延設部の間に隙間を設けたことで延設部が弾性変形することにより振動エネルギーを吸収する。よって、使用者の手腕に伝播する振動を低減した電動工具を提供することができる。
【０００８】
請求項２記載の発明によれば、ハウジングに伝播した振動がテールカバに伝播した際、テールカバと板状部材とが接着面において互いに摺動するが、両者の間に接着剤または接着テープの粘性力が作用するため、振動が減衰される。よって、使用者の手腕に伝播する振動を低減した電動工具を提供することができる。
【０００９】
請求項３記載の発明によれば、ハウジングと延設部の間の隙間に弾性体を設けたことで、強く把握した場合でも延設部がハウジングに衝突することがなくなり、振動を吸収できる。よって、使用者の手腕に伝播する振動を低減した電動工具を提供することができる。
【発明を実施するための最良の形態】
【００１０】
本発明に係る電動工具の実施形態を図１及び図2を用いて説明する。
【００１１】
図１は本発明に係る電動工具の実施形態の側面図である。携帯用ディスクグラインダ２０は電動機１６を収納するハウジング1と、スイッチ3を収納するテールカバ2と、減速部を収納するギヤカバ４と、スピンドル7を固定するパッキングランド5と、により構成されている。また、ハウジング1およびテールカバ2はほぼ円筒形状を有している。ハウジング1内には固定子6が図示しないリブにより支持されている。固定子６の内側には、ハウジング1にはハウジング軸受部1ａが設けられる。また、ギヤカバ４にはギヤカバ軸受け部４ａが設けられる。そして、ベアリング8ａ、8ｂにより回動可能に取付けられた回転子9が配置されている。テールカバ2内には、電動機１６を駆動する電源の入切を行うスイッチ3が配置される。テールカバ2は、ハウジング1に図示されないネジにより締結されている。回転子9の軸にはピニオン10が締結され、ピニオン10と噛合するギア11がスピンドル7と同軸に固定されている。スピンドル7には、先端工具固定部材12と先端工具固定ナット１４を介して先端工具１３がスピンドル7に対して回転不能に取付けられている。スピンドル７にはベアリング8cを保持するパッキングランド5にホイルガード15が締結される。先端工具１３はホイルガード15で、側面及び上面を180度以上の角度範囲で覆われている。
【００１２】
図2は図１の円Ａで囲まれた部分の拡大図であり、延設部２１がハウジング1を覆っている部分を示している。延設部２１は使用者の手が把握するハウジング1の表面を覆うように配置されている。また、ハウジング1と延設部２１の間には径方向に隙間17を設けている。隙間１７間は0.1〜0.5ｍｍ程度に設定する。延設部２１の表面には、板状部材18を接着剤又は接着テープ１９にて貼付けている。
【００１３】
使用者がスイッチ3を入れると、電動機１６に電力が供給され、回転子9が回転する。回転子9の回転軸に対するバランス調整が不充分である場合、振動が発生する。振動は回転子の両端に取り付けられたベアリング8a,8b、ハウジング軸受け部1a,ギヤカバ軸受け部4aを介し、ハウジング1及びギヤカバ4に伝播される。この際、ギヤ11や先端工具13のアンバランス、あるいは先端工具13と被加工材との衝突等により、減速部や先端工具13からも振動がギヤカバ4に伝播され、ハウジング1に伝播する。ハウジング１に伝播した振動はテールカバ2に伝播する。延接部２１の外周を把握すると、ハウジング1と延設部２１の間に設けられた隙間17により、テールカバ2は、弾性変形を行い振動エネルギーを吸収し手に伝わる振動が減衰する。
【００１４】
また、振動が板状部材18に伝播する際、テールカバ２と板状部材１８とは接着面において互いに摺動するが、両者の間に接着剤又は粘着テープ１９の粘性力が作用するため、振動が減衰される。よって、延接部２１の外周を把握して作業を行えば、ハウジング１を直接把握したときに比べ、手腕に加わる振動は低減される。また、ハウジング１と延設部２１の間に弾性体を挿入することで、強く把握した場合でも延設部２１がハウジング１に衝突することがなくなり、振動を吸収できる。振動をより一層低減することができる。
【図面の簡単な説明】
【００１５】
【図１】本発明の実施の形態に係る携帯用ディスクグラインダの実施形態を示す側面図。
【図２】図１の円Ａで囲まれた部分の拡大図。
【図３】従来の携帯用ディスクグラインダを示す側面図。
【符号の説明】
【００１６】
１はハウジング、1aはハウジング軸受け部、２はテールカバ、3はスイッチ、4はギヤカバ、4aはギヤカバ軸受け部、5はパッキングランド、6は固定子、7はスピンドル、8a、8b、8cはベアリング、9は回転子、10はピニオン、11はギヤ、12は先端工具固定部材、13は先端工具、14は先端工具固定ナット、15はホイルガード、16は電動機、17は隙間、18は板状部材、19は接着剤又は接着テープ、20は携帯用ディスクグラインダ、２１は延設部である。
【図１】
2007044811.tif 000003
【図２】
2007044811.tif 000004
【図３】
2007044811.tif 000005